(57)【要約】【課題】大容量の伝送データのタイムスロット入れ替えを処理する場合でも、伝送データのタイムスロットを入れ替えるための情報である回線設定データを処理するために、小さいメモリ容量を有する基本回路を用いて繰り返して処理することで回路規模の増大を抑制する。【解決手段】多重された伝送データのタイムスロットを入れ替えるための制御用データとなる回線設定データを処理するタイムスロット入替装置において、警報データに基づいた該回線設定データの処理を、予め設定した第１の伝送容量に応じて行い、予め設定した第２の伝送容量に応じた該回線設定データに対して、第１の伝送容量に応じた該回線設定データの処理を時系列的に分散して行う。【選択図】図４
2008306482.tif 000002
【特許請求の範囲】
【請求項１】
多重された伝送データのタイムスロットを入れ替えるための制御用データとなる回線設定データを処理するタイムスロット入替装置において、
警報データに基づいた該回線設定データの処理を、予め設定した第１の伝送容量に応じて行い、予め設定した第２の伝送容量に応じた該回線設定データに対して、第１の伝送容量に応じた該回線設定データの処理を時系列的に分散して行うことを特徴とするタイムスロット入替装置。
【請求項２】
請求項１に記載のタイムスロット入替装置であって、
第１の伝送容量に応じた該回線設定データの処理を、第２の伝送容量に応じた該回線設定データに対して時系列的に分散して行うためのデータを格納する第１のメモリと、
第２の伝送容量に応じた該回線設定データと該警報データを格納する第２のメモリを備え、
第１のメモリは第１の伝送容量に、第２のメモリは第２の伝送容量のそれぞれに対応した容量を有し、
第１の伝送容量は第２の伝送容量の整数ｎ分の１であることを特徴とするタイムスロット入替装置。
【請求項３】
請求項２に記載のタイムスロット入替装置であって、
第２の伝送容量に応じた該回線設定データの処理を行うために、第１の伝送容量に応じた該回線設定データの処理をｎ回繰り返して行うことを特徴とするタイムスロット入替装置。
【請求項４】
請求項２に記載のタイムスロット入替装置であって、
該タイムスロット入替装置は、ＳＯＮＥＴ(Synchronous Optical Network)対応装置、もしくはＳＤＨ(Synchronous Digital Hierarchy)対応装置であり、
第１の伝送容量は、ＳＯＮＥＴにおけるＯＣ(Optical Carrier)−４８もしくはＳＤＨにおけるＳＴＭ(Synchronous Transport Module)−１６の伝送回線２本分の伝送容量を有し、
第２の伝送容量は、第１の伝送容量の３２倍の伝送容量を有し、該ｎが３２であることを特徴とするタイムスロット入替装置。
【請求項５】
請求項２に記載のタイムスロット入替装置であって、
該タイムスロット入替装置はＳＯＮＥＴ対応装置もしくはＳＤＨ対応装置であり、
該回線設定データの処理する単位は、ＳＯＮＥＴにおけるＳＴＳ(Synchronous Transport Signal)−１とするタイムスロット入替装置。
【発明の詳細な説明】
【技術分野】
【０００１】
本発明は、多重された伝送データのタイムスロットを入れ替える技術に係り、特に大容量の伝送データに割り付けられたタイムスロットの入れ替えを処理する場合でも、伝送データのタイムスロットを入れ替えるための情報である回線設定データを処理するために、小さいメモリ容量を有する基本回路を用いて繰り返して処理することで回路規模の増大を抑制できるタイムスロット入替装置に関する。
【背景技術】
【０００２】
近年のＩＴ(information technology)の発展、普及によって、ＳＯＮＥＴ(synchronous optical network)対応装置やＳＤＨ(synchronous digital hierarchy)対応装置では、ネットワークの信頼性確保のためＳＯＮＥＴリング等のリングネットワークを適用するシステムが増加している。
【０００３】
リングネットワークの方式には、ＵＰＳＲ（uni-directinal path switched ring）方式やＢＬＳＲ（bi-directional line switched ring）方式があり、ＢＬＳＲ方式はＵＰＳＲ方式に比べて、リング上の異なるノード装置（Add/Drop MUX機能を有したタイムスロット入替装置）間において同じチャネルを使用できるため回線容量を大きくできる利点を有している。
【０００４】
ＢＬＳＲ方式には次のような特徴を備えることができることが開示されている（例えば、特許文献１参照）。
【０００５】
(1) 伝送路障害に対する救済方式として、１つの伝送路に対して現用回線用のチャネル（現用チャネル）と予備回線用のチャネル（予備チャネル）を割り当て、障害発生時にこの予備チャネルを用いて現用チャネルの信号を救済する。
【０００６】
(2) ２つのＢＬＳＲネットワークのそれぞれの２つのノード（プライマリー、セコンダリー）を相互接続（ring interconnection）することによって、ノード装置の障害時の信頼性（survivability）を向上させるため、プライマリーノードでは他方のリングネットワークからＤｒｏｐされる信号と同一リングネットワーク内のセコンダリーノードから入力される信号とを選択する。
【０００７】
またリングネットワークの回線当たりの伝送容量は、ＳＴＳ(synchronous transport signal)−４８、ＳＴＳ−１９２と増大し、近い将来ＳＴＳ−７６８まで増大することが想定される。それに伴いリングネットワーク等を構成するノード装置においては、装置当たりの伝送データの処理容量が増大している。
【０００８】
また、これらのノード装置等において、ディジタル多重伝送データのタイムスロットの割付けを行って、この伝送データのチャネル位置を入れ替えることで回線設定を行っているが、この回線設定の処理容量も増大している。
【０００９】
そして、高密度実装の実現が相俟って、回線設定の処理機能の多くはＡＳＩＣ(application specific integrated circuit：特定用途向けＩＣ)にて実現している。そのため、この飛躍的な回線設定処理容量の増大に対応するため、ＡＳＩＣを含めた回路規模の増大、消費電力の増大の課題を解決する必要が生じている。
【００１０】
これらの課題を解決する一つの方策として、回線設定を実施する時間スイッチとそれに接続する空間スイッチのアドレスを制御するアドレスコントロールメモリに、回線設定用アドレスが、アドレスコントロールメモリのアクセス用アドレスによりランダムに書き込まれる。そして、このアドレスコントロールメモリから時間スイッチと空間スイッチに対してアドレスがシリアルに読み出される構成を実現している（例えば、特許文献２参照）。
【特許文献１】特開２００２−１７１２７１号公報
【特許文献２】特開平１１−２７５０３９号公報
【発明の開示】
【発明が解決しようとする課題】
【００１１】
以上記載したように、ＳＯＮＥＴリング等のリングネットワークを構成するノード装置では収容するチャネル数の増大により、回線設定の処理容量は増大し、消費電力、回路規模の増加の課題を解決する手段が求められている。
【００１２】
本発明は、大容量の伝送データの回線設定を処理する場合でも、回線設定データを処理するために小さいメモリ容量を有する基本回路を繰り返して処理することで回路規模の増大を抑制できるタイムスロット入替装置を提供することを目的とする。
【課題を解決するための手段】
【００１３】
本発明の態様は、多重された伝送データのタイムスロットを入れ替えるための制御用データとなる回線設定データを処理するタイムスロット入替装置において、警報データに基づいた該回線設定データの処理を、予め設定した第１の伝送容量に応じて行い、予め設定した第２の伝送容量に応じた該回線設定データに対して、第１の伝送容量に応じた該回線設定データの処理を時系列的に分散して行うことを特徴とするタイムスロット入替装置である。
【００１４】
本発明の態様によれば、伝送データのタイムスロットを入れ替えるための情報である回線設定データを処理する際に、収容する全てのチャネルの回線設定データを一括して処理するのではなく、全てのチャネルの回線設定データを複数のグループに分割し、その分割されたグループ毎に分散して回線設定データを処理するので、回線設定データを処理する回路の小型化が可能なタイムスロット入替装置を提供することが可能となる。
【発明の効果】
【００１５】
本発明によれば、伝送データのタイムスロットを入れ替えるための情報である回線設定データを処理する際に、収容する全てのチャネルの回線設定データを一括して処理するのではなく、また全てのチャネルに対応するメモリを備える必要がなく、全てのチャネルに対応する場合のメモリ容量に対して整数（ｎ）分の１のメモリ容量を備えた基本回路を有し、その基本回路を用いてｎ回繰り返して処理することによって全チャネルの回線設定データを処理できるので、回線設定データを処理する回路の小型化が可能となる。
【００１６】
また、回線設定処理容量が増大した場合に、メモリ等の回路を増加することなく、基本回路での処理を繰り返す回数を増やすことで対処することが可能となる。
【発明を実施するための最良の形態】
【００１７】
以降、図面を併用して本発明の詳細を説明する。なお、図面において同一のものまたは類似するものについては同一の符号を記載する。
【００１８】
図１はシステム構成図（１）である。Ａｄｄ／Ｄｒｏｐ／ＭＵＸ機能を有したタイムスロット入替装置であるノード装置により２つのリングネットワークを構成していることを示している。ノード装置１〜ノード装置５で１つの２Ｆ−ＢＬＳＲ(2 fiber - bi-directional line switched ring)方式のリングネットワークＲＮ１を構成し、ノード装置６〜ノード装置９で１つの２Ｆ−ＢＬＳＲ方式のリングネットワークＲＮ２を構成している。ノード装置１とノード装置３はノード装置６とノード装置７のそれぞれと低速側の回線によって接続され、低速側の回線に障害が発生した場合でもリングネットワークＲＮ１とＲＮ２の間で通信が可能となる相互接続(ring interconnection)を構成している。
【００１９】
２つのＢＬＳＲネットワークを相互接続する構成には、ＤＣＰ(drop and continue on protection bandwidth)構成とＤＴＰ(dual transport on protection bandwidth)構成がある。ＤＣＰ構成は、同一リングネットワーク内のプライマリーノード装置とセコンダリーノード装置の接続がプロテクションチャネルを用いて行なわれ、かつターミナルノード装置がプライマリーノード装置とセコンダリーノード装置の外側に配置された構成である。ＤＴＰ構成は、ターミナルノード装置がプライマリーノード装置とセコンダリーノード装置の中間に配置される構成である。
【００２０】
図１において、リングネットワークＲＮ１はＤＴＰ構成であり、ノード装置１をプライマリーノード装置、ノード装置３をセコンダリーノード装置、そしてノード装置２をターミナルノード装置としている。また、リングネットワークＲＮ２はＤＣＰ構成であり、ノード装置６をプライマリーノード装置、ノード装置７をセコンダリーノード装置、そしてノード装置９をターミナルノード装置としている。
【００２１】
図２はシステム構成図（２）である。図１のシステム構成において相互接続を構成するノード装置１，２，３及びノード装置６，７，９について、相互接続による信号の流れを説明するために必要となる機能の概要を示している。
【００２２】
例えば、リングネットワークＲＮ２を構成するターミナルノード装置９の低速側の回線（９１）から、リングネットワークＲＮ１を構成するターミナルノード装置２の低速側の回線（２２）への信号の流れについて説明する。ターミナルノード装置９の低速側の回線（９１）からの信号は挿入部（Ａｄｄ部）９１にてリングネットワークＲＮ２に挿入され、プライマリーノード装置６の分岐部（Ｄｒｐ部）６２にて分岐され低速側の回線（６２）を介してリングネットワークＲＮ１を構成するプライマリーノード装置１の低速側の回線（１１）の信号としてＡｄｄ部１１にてリングネットワークＲＮ１に挿入される。また、プライマリーノード装置６のＤｒｐ部６２では、この信号はリングネットワークＲＮ２の予備帯域（プロテクション帯域）を介してセコンダリーノード装置７のＤｒｐ部７２にて分岐され低速側の回線（７２）を介してリングネットワークＲＮ１を構成するセコンダリーノード装置３の低速側の回線（３１）の信号としてＡｄｄ部３１にてリングネットワークＲＮ１に挿入される。リングネットワークＲＮ１に挿入されたこれらの信号はターミナルノード装置２のＤｒｐ部２２ａ、２２ｂのそれぞれにて分岐されパススイッチ部（ＰＳＷ部）２３に入力され、プライマリーノード装置６とプライマリーノード装置１の低速側の回線に異常がない場合にはＰＳＷ部２３はＤｒｐ部２２ａからの信号を選択し、異常がある場合にはＰＳＷ部２３はＤｒｐ部２２ｂからの信号を選択し低速側の回線（２２）へ出力する。
【００２３】
逆方向の信号として、ターミナルノード装置２の低速側の回線（２１）からターミナルノード装置９の低速側の回線（９２）への信号の流れについて説明する。ターミナルノード装置２の低速側の回線（２１）からの信号はＡｄｄ部２１ａにてリングネットワークＲＮ１の現用帯域（ワーク帯域）に、Ａｄｄ部２１ｂにてプロテクション帯域にそれぞれ挿入される。ワーク帯域に挿入された信号はプライマリーノード装置１のＤｒｐ部１２にて分岐され、低速側の回線（１２）を介してリングネットワークＲＮ２を構成するプライマリーノード装置６の低速側の回線（６１）の信号としてサービスセレクタ部（ＳＳ部）６４に入力される。プロテクション帯域に挿入された信号はセコンダリーノード装置３のＤｒｐ部３２にて分岐され低速側の回線（３２）を介してリングネットワークＲＮ２を構成するセコンダリーノード装置７の低速側の信号としてＡｄｄ部７１にてリングネットワークＲＮ２のプロテクション帯域に挿入される。プライマリーノード装置６のＳＳ部６４は、プライマリーノード装置６とプライマリーノード装置１の低速側の回線に異常がない場合には低速側の回線（６１）からの信号を選択し、異常がある場合にはセコンダリーノード装置７からのプロテクション帯域の信号を選択する。この選択された信号はリングネットワークＲＮ２のワーク帯域の信号としてターミナルノード装置９のＤｒｐ部９２にて分岐され低速側の回線（９２）へ出力される。
【００２４】
図３は装置構成図であり、例えばＳＯＮＥＴ／ＳＤＨ対応装置としてのタイムスロット入替装置の概要について本図を用いて説明する。
【００２５】
２０１、２０２は回線インタフェース部であり、２０１は受信側を、２０２は送信側を示している。１００Ｗ、１００Ｐはタイムスロット入替装置であり、１００Ｗは現用のタイムスロット入替装置、１００Ｐは予備のタイムスロット入替装置である。タイムスロット入替装置を総称する場合、符号１００を用いる。１１０は回線設定データ処理部、１２０はアドレス制御メモリ部、１３０はタイムスロット入替部であり、タイムスロット入替装置１００はこれらを含んで構成される。３００は装置制御部である。
【００２６】
回線インタフェース部２０１は伝送路信号を受信し、伝送路警報等を検出し装置制御部３００へ通知する。
【００２７】
回線インタフェース部２０２は伝送路信号を送信する。
【００２８】
装置制御部３００は保守装置等の外部装置から回線設定データを受信し、伝送データのタイムスロットに対応して割り付けられた回線設定データをタイムスロット入替装置１００Ｗ，１００Ｐへ送信する。また、回線インタフェース部２０１等からの伝送路警報を受信し、タイムスロット入れ替えのために回線設定データを処理するための制御情報として警報データをタイムスロット入替装置１００Ｗ，１００Ｐへ送信する。なお、伝送路警報とはＳＯＮＥＴ／ＳＤＨに対応した伝送路フォーマットのＴＯＨ（transport over head）に含まれる情報である。
【００２９】
タイムスロット入替部１３０は、回線インタフェース部２０１からの伝送データを受信し、アドレス制御メモリ部１２０からの書込みアドレスに基づいて受信した伝送データをタイムスロット入替部１３０に有するメモリ（図示せず。）に書き込み、アドレス制御メモリ部１２０からの読出しアドレスに基づいてこのメモリから伝送データを読み出すことによって、伝送データのタイムスロット入れ替えを行なう。
【００３０】
アドレス制御メモリ部１２０は、回線設定データ処理部１１０からの回線設定データに基づいて、タイムスロット入替部１３０に通知する書込みアドレス、読出しアドレスを発生する。書込みアドレスにはシーケンシャルアドレス、読出しアドレスにはランダムアドレスを発生する。つまり、アドレス制御メモリ部１２０は、タイムスロット入替部１３０が受信する伝送データを連続したアドレスに基づいて書き込み、書き込まれた伝送データのタイムスロットを回線設定データに応じて入れ替えるべく該当するアドレスに基づいて読み出すためランダムなアドレスを発生する。
【００３１】
回線設定データ処理部１１０は、装置制御部３００から、伝送データのタイムスロットに対応して割り付けられ、伝送データを構成するチャネル信号がどのタイムスロットに割り付けられるかを示す回線設定データを受信する。また、装置制御部３００からタイムスロット入れ替えのための回線設定データを処理するための警報データを受信する。そして、その回線設定データを、タイムスロット入替部１３０が受信する伝送データのタイムスロットに応じて、チャネル信号の入れ替え先に対応した回線設定データに設定する。また、警報データに応じて、その回線設定データをチャネル信号の入れ替え先に対応した回線設定データに切り替える。例えば、伝送路障害等が発生してチャネル信号を現用帯域から予備帯域に切替える場合、チャネル信号を現用帯域のタイムスロットから予帯域のタイムスロットに切り替える。
（実施例１）
本実施例では、例えば、タイムスロット入替装置（ノード装置とも記載する。）は２Ｆ−ＢＬＳＲのリングネットワークを構成し、１つのタイムスロット入替装置が処理する伝送容量の最大値を１６０Ｇｂｐｓ、つまり回線速度２．４ＧｂｐｓのＳＴＳ−４８を最大６４回線収容し、回線設定の処理単位（以降、チャネル：ＣＨと記載する場合がある。）としてＳＴＳ−１（５１．８４Ｍｂｐｓ、伝送容量５０Ｍｂｐｓと記載する場合がある。）を想定している。
【００３２】
図４は回線設定データ処理部の構成図であり、図３で示した回線設定データ処理部１１０の機能構成の概要を示している。各機能の詳細は後で説明する。
【００３３】
図５は信号フォーマット（１）であり、図３で示した装置制御部３００が生成し、回線設定データ処理部１１０へ通知する回線設定データおよび警報データのチャネル構成を示している。装置内処理クロックはＳＴＳ−３（１５５．５２Ｍｂｐｓ）の1/2である７７．７６ＭＨｚ（７８Ｍクロックと記載する場合がある。）である。
【００３４】
本信号では、ＳＴＳ−４８を２回線、つまりノード装置のEast側に入力してWest側に出力する信号方向（ＥＷ方向）とその逆方向（West側に入力してEast側に出力する信号方向：ＷＥ方向）の２回線のそれぞれについて現用帯域（ワーク帯域：ＷＫ）であるチャネル１（ＣＨ１）〜チャネル２４（ＣＨ２４）と予備帯域（プロテクション帯域：ＰＴ）であるチャネル２５（ＣＨ２５）〜チャネル４８（ＣＨ４８）の９６チャネルを１つの処理単位として、７８Ｍクロックの９６ビットの領域を占有している。この９６チャネルの処理単位を１つのシステム（ＳＹＳ）とする。信号の構築に関しては後の図７にて説明する。
【００３５】
また、この処理単位に対してチャネル毎に警報データに基づいて回線設定データの切り替え処理を行うための領域として、上記のＳＹＳの領域と同じ７８Ｍクロックの９６ビットの領域を設け、１フレーム（７８Ｍクロックで９７２０ビットの領域）内に伝送容量１６０Ｇｂｐｓ（伝送容量５ＧｂｐｓとなるＳＴＳ−４８の２回線分が３２ＳＹＳになる。）の処理を可能としている。
【００３６】
図６は信号フォーマット（１−１）であり、図５の信号フォーマットを構成するチャネル毎の回線設定データおよび警報データの配置を示している。
【００３７】
チャネル当り７８Ｍクロックの４ビットを割り当て、２ビットを信号領域にし、回線設定データは１６パラ信号（０〜１５）、警報データは８パラ信号（０〜７）で構成している。
【００３８】
図７は信号フォーマット（１−２）であり、図６で示したチャネル毎の回線設定データの構成とその信号内容、つまりチャネル毎の回線設定先（入れ替え先）を示している。
【００３９】
第０〜５番の６パラ信号（６ビット）で５０Ｍｂｐｓ容量のＳＴＳ−１を単位としたチャネル番号（ＣＨ１〜ＣＨ４８）を識別し、第６番の１ビットでＥＷ方向とＷＥ方向の２回線のＳＴＳ−４８を示すＳｉｄｅ番号（Ｓｉｄｅ１，Ｓｉｄｅ２）を識別している。第７〜１０番の４パラ信号（４ビット）で、５Ｇｂｐｓ容量（９６チャネル容量）を１システムとしたシステム番号（ＳＹＳ＃０〜ＳＹＳ＃１５）を識別し、第１１番の１ビットで１６のシステムで伝送容量が８０Ｇｂｐｓとなる単位（８０Ｇ＃０，８０Ｇ＃１）を識別している。
【００４０】
第１１番までの信号にて伝送容量１６０Ｇｂｐｓを構成するチャネルを識別することが可能であり、さらに伝送容量１６０Ｇｂｐｓを識別するために第１２〜１４番の３パラ信号（３ビット）を用いる。
【００４１】
そして、第１５番の１ビットを用いて回線設定を実行するか否かを設定する。
【００４２】
図８は信号フォーマット（１−３）であり、図６で示したチャネル毎の警報データの構成とその信号内容を示している。
【００４３】
第０〜４番の５パラ信号（５ビット）で各チャネルの警報状態を設定する。第５〜７番の３パラ信号（３ビット）で各チャネルのコンカチネーション状態を設定する。
【００４４】
図９は信号フォーマット（１−４）であり、図４の回線設定データ処理部の内部で使用する信号のフォーマットを示している。
【００４５】
図１０は信号タイミング（１）、図１１は信号タイミング（２）である。図１０，１１のそれぞれは図４の回線設定データ処理部を構成するＭＥＭ部に関する信号のタイミングであり、メモリへの書込みタイミング、読出しタイミングを示している。システム番号をＳＹＳ０〜ＳＹＳ１５と記載している（＃記号を省略している。）。
【００４６】
図１２は信号フォーマット（２）、図１３は信号フォーマット（３）、図１４は信号フォーマット（４）、図１５は信号フォーマット（５）である。図１２〜図１５のそれぞれは図４の回線設定データ処理部を構成する各機能間の信号のフォーマットを示している。
【００４７】
図１６は信号フォーマット（６）であり、回線設定データ処理部１１０がアドレス制御メモリ部１２０へ通知する回線設定データの信号フォーマットを示している。
【００４８】
図４において、ＭＥＭ部１１０１は図５〜図８に示した信号フォーマットの２４パラの信号を受信し、伝送容量１６０Ｇｂｐｓに相当する３０７２チャネル（９６チャネル×１６×２）についてチャネル対応に回線設定データ及び警報データを格納する。そしてＭＥＭ部１１０１は図９に示した信号フォーマットの信号を読み出す。
【００４９】
図９において、回線設定データの処理単位をＳＹＳと称し、ＳＹＳにはＳＴＳ−４８が２回線に相当する９６チャネルを含んでいる。１フレームに８０Ｇ＃０のグループのＳＹＳ＃０〜ＳＹＳ＃１５と８０Ｇ＃１のグループのＳＹＳ＃０〜ＳＹＳ＃１５の信号のそれぞれがＭＥＭ部１１０１より交互に読み出される。この処理単位に対してチャネル毎に警報データに基づいて回線設定データの切り替え処理を行うための領域として、上記のＳＹＳの領域と同じ７８Ｍクロックの９６ビットの領域を設け、１フレーム（７８Ｍクロックで９７２０ビットの領域）内に伝送容量１６０Ｇｂｐｓ（伝送容量５ＧｂｐｓとなるＳＴＳ−４８の２回線分が３２ＳＹＳになる。）の処理を可能としている。そして、各ＳＹＳ内においては、ＳＴＳ−４８の２回線に相当するＳＩＤＥ１、ＳＩＤＥ２、及び各ＳＩＤＥ内のＣＨ１〜ＣＨ２４（ワーク帯域）、ＣＨ２５〜ＣＨ４８（プロテクション帯域）の信号を多重化するように読み出される。なお、各ＣＨ信号は１６パラの回線設定データと８パラの警報データの２４のパラレル信号によって構成されている。このパラレル信号の内容は図７、図８に示す内容と同じである。
【００５０】
なお、図４においてＭＥＭ部１１０１からＤＴＰＳＷ部１１０２への信号、ＤＴＰＳＷ部１１０２からＸＣ部１１０３、ＤＣＰＴｈｒ部１１０４それぞれへの信号、ＸＣ部１１０３、ＤＣＰＴｈｒ部１１４のそれぞれからＳＳ部１１０５への信号、そしてＳＳ部１１０５からＭＥＭ部１１０６への信号のそれぞれは図９に示す信号フォーマットになる。
【００５１】
図４において、ＭＥＭ部１１１１はＭＥＭ部１１０１から読み出された図９の信号に含まれる警報データを、つまり図１２に示す信号を図１０のＳ１に示すようにＭＥＭ１１１１が有する２面のメモリに８０Ｇ＃０、８０Ｇ＃１のそれぞれのグループ毎に書き込む。８０Ｇ＃０、８０Ｇ＃１のそれぞれのグループの信号が格納されるメモリでは、時系列的にＳＹＳ単位に９６ビットの領域で書き込まれ、２倍の１９２ビットの領域で読み出される。この読み出された信号は図１０のＳ２に示すようなタイミングとなり、図４に示すＤＴＰＳＷ制御部１１１２に送信される。
【００５２】
図４において、ＤＴＰＳＷ制御部１１１２はＤＴＰを構成するチャネルの警報データにおいて、該当する警報があった場合に伝送データをプロテクション側に切り替えるための制御信号を設定する。つまり図１３に示す信号のようにチャネル単位に制御ビットを設け、ワーク帯域を選択する場合には論理レベル“０”を、プロテクション帯域を選択する場合には論理レベル“１”を設定する。
【００５３】
図４において、ＭＥＭ部１１１３はＤＴＰＳＷ制御部１１１２で設定された図１３に示す信号をＭＥＭ部１１１３が有する２面のメモリに書き込む。つまり、ＤＴＰＳＷ制御部１１１２がＭＥＭ部１１１３へ送信する図１３に示す信号は図１０のＳ２で示す信号のタイミングとなり、このＳ２で示す書込みタイミング（Ｗ）でＭＥＭ部１１１３の２面のメモリへ書き込まれる。
【００５４】
図１０のＳ２において、ＭＥＭ部１１１３はＳＹＳ単位に９６ビットの２つの領域で書き込まれた図１３に示す信号（制御データ）を１つの９６ビットの領域に読み出す（Ｒ）。この読み出された信号（制御データ）は図１０のＳ３に示すようなタイミングとなり、図４のＤＴＰＳＷ部１１０２に送信される。
【００５５】
図４において、ＤＴＰＳＷ部１１０２は、ＭＥＭ部１１０１より読み出された図９の信号に対し、上記のＭＥＭ部１１１３より読み出された信号（制御データ）に基づいてＳＹＳ単位に各チャネルについてワーク帯域とプロテクション帯域の選択を実施する。
【００５６】
ＤＴＰＳＷ部１１０２にてチャネル単位にワーク帯域とプロテクション帯域の選択が実施された信号（図９に示すフォーマットの信号）は、ＸＣ部１１０３とＤＣＰＴｈｒ部１１０４に送信される。
【００５７】
ＭＥＭ部１１１４は、ＤＴＰＳＷ部１１０２にてチャネル単位にワーク帯域とプロテクション帯域の選択が実施された信号に含まれる警報データ（図１２に示すフォーマットの信号）を、ＭＥＭ部１１１４が有する２面のメモリに書き込む。
【００５８】
ＸＣ制御部１１１５は、ＭＥＭ部１１１４に書き込まれた警報データに基づいて、ＳＹＳ単位にＣＨ１〜ＣＨ２４のワーク帯域のチャネル信号とＣＨ２５〜ＣＨ４８のプロテクション帯域のチャネル信号の切り替え（回線設定）を制御するための信号（図７に示す内容の回線設定データ）をチャネル単位に生成する。
【００５９】
ＭＥＭ部１１１６は、図１４に示すＸＣ制御部１１１５が生成した回線設定データを、ＭＥＭ部１１１６が有する２面のメモリに書き込む。
【００６０】
ＭＥＭ部１１１６は、図１１のＳ４において、ＳＹＳ単位に書き込まれた回線設定データについて、各ＳＹＳについて９６ビットの領域に読み出す。
【００６１】
図４において、ＸＣ部１１０３はＭＥＭ部１１１６に書き込まれた信号（回線設定データ）に基づいてＤＴＰＳＷ部１１０２から送信される図９の信号に対し、回線設定を実施する。
【００６２】
ＤＣＰＴｈｒ部１１０４はＤＴＰＳＷ部１１０２から送信される図９の信号を、ＸＣ部１１０３が出力する信号のタイミングに合わせて出力する。
【００６３】
ＸＣ部１１０３が出力する信号（Ａｄｄ側信号と記載する。）とＤＣＰＴｈｒ部１１０４が出力する信号（Ｔｈｒ側信号と記載する。）のそれぞれ（図９に示すフォーマットの信号）は、ＳＳ部１１０５に送信される。
【００６４】
ＭＥＭ部１１１７は、Ａｄｄ側信号に含まれる警報データとＴｈｒ側信号に含まれる警報データのそれぞれ（図１２に示すフォーマットの信号）を、図１１のＳ５に示すようにＭＥＭ部１１１７が有する２面のメモリに書き込む。
【００６５】
ＳＳ制御部１１１８は、図１１のＳ６に示すように、ＳＹＳ単位にＭＥＭ部１１１７より読み出したＤＣＰを構成するチャネルの警報データに基づいて、該当する警報があった場合にＴｈｒ側信号を選択するための制御信号を生成する。つまり図１５に示す信号のようにチャネル単位に制御ビットを設け、Ａｄｄ側信号を選択する場合には論理レベル“０”を、Ｔｈｒ側信号を選択する場合には論理レベル“１”を設定する。
【００６６】
ＭＥＭ部１１１９はＳＳ制御部１１１８で生成された図１５に示す信号をＭＥＭ部１１１９が有する２面のメモリに書き込む。つまり、ＳＳ制御部１１１８がＭＥＭ部１１１９へ送信する図１５に示す信号は図１１のＳ５で示す信号のタイミングとなり、このＳ５で示す書込みタイミング（Ｗ）でＭＥＭ部１１１９の２面のメモリへ書き込まれる。
【００６７】
図４において、ＳＳ部１１０５は、Ａｄｄ側信号とＴｈｒ側信号に対し、上記のＭＥＭ部１１１９より読み出される信号（制御データ）に基づいてＳＹＳ単位に各チャネルについてＡｄｄ側信号とＴｈｒ側信号のいずれかを選択する。
【００６８】
ＭＥＭ部１１０６は、ＳＳ部１１０５にてＳＹＳ単位に各チャネルについてＡｄｄ側信号とＴｈｒ側信号のいずれかが選択された信号（図９に示すフォーマットの信号）を順次書き込み、１６０Ｇｂｐｓの伝送容量となる３０７２チャネルの回線設定データを一括して読み出し、図１６に示す信号フォーマットにより図３に示すアドレス制御メモリ部１２０へ送信する。
【００６９】
図１６に示す信号フォーマットには、本信号が図３に示す回線設定データ処理部１１０から異なる機能ブロックとなるアドレス制御メモリ部１２０へ送信するため、信号の先頭を示す７８Ｍクロック１ビット幅の信号を同時に送信し、信号の先頭には先頭を示す８ビットの固定パターン（Fixed Pattern）を設けている。
【００７０】
タイミング生成部１１０７は上記で説明したＭＥＭ部の書き込み、読み出しに必要なクロック信号、タイミング信号等を生成する。
【００７１】
本実施例により、リングネットワークの冗長構成、及びリングネットワークの相互接続を実現するＤＴＰ構成、ＤＣＰ構成を適用するタイムスロット入替装置において、警報データに基づく回線設定データの入れ替え処理は、リングネットワークの回線の２回線分の伝送容量を処理単位として実現できる。よって、リング回線容量としてＳＴＳ−４８が６４回線（１６０Ｇｂｐｓ容量）であり、回線設定単位としてＳＴＳ−１（５０Ｍｂｐｓ容量）、回線設定数が３０７２チャネル（96ch×32=3072ch）のタイムスロット入れ替えに必要な回線設定データの処理を、９６チャネル（５Ｇｂｐｓ容量）のＳＹＳ単位で処理し、このＳＹＳ単位の処理を３２回順次繰り返すことによって実現でき、具体的には、図４のＭＥＭ部１１０１と１１０６は伝送容量１６０Ｇｂｐｓ相当のメモリ容量が必要であるが、ＭＥＭ部１１１１，１１１３，１１１４，１１１６，１１１７，１１１９は伝送容量５Ｇｂｐｓ相当のメモリ容量で対応可能である。よって、回線設定データの処理に必要となる回路、特にメモリの規模を小型化することができる。
【００７２】
また、回線設定処理容量が増大した場合に、メモリ等の回路を増加することなく、基本とする回路での処理を繰り返す回数を増やすことで対処することが可能となる。
（実施例２）
実施例１では、１つのタイムスロット入替装置が処理する伝送容量の最大値が１６０Ｇｂｐｓ、つまり回線速度２．４ＧｂｐｓのＳＴＳ−４８を最大６４回線収容する場合を想定していた。
【００７３】
本実施例では、例えば１つのタイムスロット入替装置が処理する伝送容量の最大値が４８０Ｇｂｐｓの場合を想定する。
【００７４】
図１７は４８０Ｇｂｐｓ容量処理機能図である。１１１は内部処理部、１１２はテンポラリメモリ部、１１３は外部メモリＩＮＦ部、１１４は外部メモリである。
【００７５】
内部処理部１１１は実施例１で説明した回線設定データ処理部１１０の機能を備え、１６０Ｇｂｐｓ容量の回線設定データの処理を実施する。
【００７６】
テンポラリメモリ部は実施例１で説明した１６０Ｇｂｐｓ容量の回線設定データを一時的に格納するメモリであり、２面のメモリを構成する。
【００７７】
外部メモリＩＮＦ部１１３は、１６０Ｇｂｐｓ容量の回線設定データの処理を実施する場合、外部メモリ１１４と２面構成のテンポラリメモリ間のデータを送受信するインタフェースを行う。
【００７８】
外部メモリ１１４は４８０Ｇｂｐｓ容量の回線設定データを格納する。実施例１においてはＭＥＭ部１１０１、１１０６に相当するメモリである。
【００７９】
図１８は４８０Ｇｂｐｓ容量タイミング図である。
【００８０】
実施例１で説明した様に１６０Ｇｂｐｓ容量の回線設定データの処理は１フレームで実施できるので、外部メモリ１１４から１６０Ｇｂｐｓ容量単位に必要なデータを、外部メモリＩＮＦ部１１３を介して２面構成のテンポラリメモリ１１２に交互に書き込む。
【００８１】
内部処理部１１１はテンポラリメモリの１面から回線設定データを読み出し、回線設定に必要な処理（実施例１で説明した処理内容）を実施し、その結果をテンポラリメモリ１１２の１面に書き込む。そして、順次１６０Ｇｂｐｓ容量ごとに処理を実行し、その結果を２面構成のテンポラリメモリ１２１に順次交互に書き込む。
【００８２】
外部メモリＩＮＦ部１１３は、上記で説明したテンポラリメモリ１１２に格納された回線設定データを順次外部メモリに書き込む。
【００８３】
本実施例により、リング回線容量としてＳＴＳ−４８が１９２回線（４８０Ｇｂｐｓ容量）であり、回線設定単位としてＳＴＳ−１（５０Ｍｂｐｓ容量）、回線設定数が９２１６チャネル（3072ch×3=9216ch）のタイムスロット入れ替えに必要な回線設定データの処理を、１６０Ｇｂｐｓ容量単位で処理し、この１６０Ｇｂｐｓ容量単位の処理を順次繰り返すことによって実現できるので、内部処理部、テンポラリメモリ、外部メモリＩＮＦ部をＡＳＩＣによって構成し、処理容量の大きさに応じて外部メモリを設定することで、ＡＳＩＣによって構成される回線設定データの処理回路、特にメモリの規模を小型化することができる。
【００８４】
また、回線設定処理容量が増大した場合に、ＡＳＩＣの回路を変更せず、外部メモリの容量を調整し、基本とするＡＳＩＣ回路での処理を繰り返す回数を増やすことで対処することが可能となる。
【００８５】
以上の実施形態に関し、更に以下の付記を開示する。
【００８６】
（付記１）  多重された伝送データのタイムスロットを入れ替えるための制御用データとなる回線設定データを処理するタイムスロット入替装置において、
警報データに基づいた該回線設定データの処理を、予め設定した第１の伝送容量に応じて行い、予め設定した第２の伝送容量に応じた該回線設定データに対して、第１の伝送容量に応じた該回線設定データの処理を時系列的に分散して行うことを特徴とするタイムスロット入替装置。
（付記２）  付記１に記載のタイムスロット入替装置であって、
第１の伝送容量に応じた該回線設定データの処理を、第２の伝送容量に応じた該回線設定データに対して時系列的に分散して行うためのデータを格納する第１のメモリと、
第２の伝送容量に応じた該回線設定データと該警報データを格納する第２のメモリを備え、
第１のメモリは第１の伝送容量に、第２のメモリは第２の伝送容量のそれぞれに対応した容量を有し、
第１の伝送容量は第２の伝送容量の整数ｎ分の１であることを特徴とするタイムスロット入替装置。
（付記３）  付記２に記載のタイムスロット入替装置であって、
第２の伝送容量に応じた該回線設定データの処理を行うために、第１の伝送容量に応じた該回線設定データの処理をｎ回繰り返して行うことを特徴とするタイムスロット入替装置。
（付記４）  付記２に記載のタイムスロット入替装置であって、
該タイムスロット入替装置は、ＳＯＮＥＴ(Synchronous Optical Network)対応装置、もしくはＳＤＨ(Synchronous Digital Hierarchy)対応装置であり、
第１の伝送容量は、ＳＯＮＥＴにおけるＯＣ(Optical Carrier)−４８もしくはＳＤＨにおけるＳＴＭ(Synchronous Transport Module)−１６の伝送回線２本分の伝送容量を有し、
第２の伝送容量は、第１の伝送容量の３２倍の伝送容量を有し、該ｎが３２であることを特徴とするタイムスロット入替装置。
（付記５）  付記２に記載のタイムスロット入替装置であって、
該タイムスロット入替装置はＳＯＮＥＴ対応装置もしくはＳＤＨ対応装置であり、
該回線設定データの処理する単位は、ＳＯＮＥＴにおけるＳＴＳ(Synchronous Transport Signal)−１とするタイムスロット入替装置。
（付記６）  付記２に記載のタイムスロット入替装置であって、
該タイムスロット入替装置は２Ｆ−ＢＬＳＲ（2 fiber - bi-directional line switched ring）方式に対応したタイムスロット入替装置。
【００８７】
（付記７）  多重された伝送データのタイムスロットを入れ替えるための制御用データとなる回線設定データを処理するタイムスロット入替装置において、
警報データに基づいた該回線設定データの処理を、予め設定した第１のチャネル数に応じて行い、予め設定した第２のチャネル数に応じた該回線設定データに対して、第１のチャネル数に応じた該回線設定データの処理を時系列的に分散して行うことを特徴とするタイムスロット入替装置。
【図面の簡単な説明】
【００８８】
【図１】システム構成図（１）
【図２】システム構成図（２）
【図３】装置構成図
【図４】回線設定データ処理部の構成図
【図５】信号フォーマット（１）
【図６】信号フォーマット（１−１）
【図７】信号フォーマット（１−２）
【図８】信号フォーマット（１−３）
【図９】信号フォーマット（１−４）
【図１０】信号タイミング（１）
【図１１】信号タイミング（２）
【図１２】信号フォーマット（２）
【図１３】信号フォーマット（３）
【図１４】信号フォーマット（４）
【図１５】信号フォーマット（５）
【図１６】信号フォーマット（６）
【図１７】４８０Ｇｂｐｓ容量処理機能図
【図１８】４８０Ｇｂｐｓ容量タイミング図
【符号の説明】
【００８９】
ＲＮ１，ＲＮ２    リングネットワーク
１，２，３，４，５，６，７，８，９    ノード装置
１１，２１ａ，２１ｂ，３１，７１，９１    Ａｄｄ
１２，２２ａ，２２ｂ，３２，６２，７２，９２    Ｄｒｐ
６４    ＳＳ
１００Ｗ，１００Ｐ    タイムスロット入替装置
１１０    回線設定データ処理部
１２０    アドレス制御メモリ部
１３０    タイムスロット入替部
２１０，２０２    回線インタフェース部
３００    装置制御部
１１０１，１１０６，１１１１，１１１３，１１１４，１１１６，１１１７，１１１９  ＭＥＭ部
１１０２    ＤＴＰＳＷ部
１１０３    ＸＣ部
１１０４    ＤＣＰＴｈｒ部
１１０５    ＳＳ部
１１１２    ＤＴＰＳＷ部
１１１５    ＸＣ制御部
１１１８    ＳＳ制御部
１１０７タイミング生成部
１１１    内部処理部
１１２    テンポラリメモリ部
１１３    外部ＩＮＦ部
１１４    外部メモリ
【図１】
2008306482.tif 000003
【図２】
2008306482.tif 000004
【図３】
2008306482.tif 000005
【図４】
2008306482.tif 000006
【図５】
2008306482.tif 000007
【図６】
2008306482.tif 000008
【図７】
2008306482.tif 000009
【図８】
2008306482.tif 000010
【図９】
2008306482.tif 000011
【図１０】
2008306482.tif 000012
【図１１】
2008306482.tif 000013
【図１２】
2008306482.tif 000014
【図１３】
2008306482.tif 000015
【図１４】
2008306482.tif 000016
【図１５】
2008306482.tif 000017
【図１６】
2008306482.tif 000018
【図１７】
2008306482.tif 000019
【図１８】
2008306482.tif 000020